(57)【要約】【課題】  特定の楽曲をすみやかに再生することができ、あわせて運転の安全性を向上させることができる「入力装置」を提供すること。【解決手段】  操作者によって操作される操作手段２を有し、この操作手段２の操作に応じて、記憶手段５に記録された複数の楽曲の中から再生する楽曲を選択可能とされた入力装置１であって、前記操作手段２の操作によって特定の楽曲が選択された場合に、前記操作手段２を介して操作者に特別な触感を付与する触感付与手段１１を備えたこと。【選択図】      図１
2006120254.tif 000002
【特許請求の範囲】
【請求項１】
操作者によって操作される操作手段を有し、この操作手段の操作に応じて、記憶手段に記録された複数の楽曲の中から再生する楽曲を選択可能とされた入力装置であって、
前記操作手段の操作によって特定の楽曲が選択された場合に、前記操作手段を介して操作者に特別な触感を付与する触感付与手段を備えたことを特徴とする入力装置。
【請求項２】
前記操作手段は、操作者によって回転操作されるロータリエンコーダであり、前記触感付与手段は、前記ロータリーエンコーダに回転操作方向と逆方向のトルクを作用させることによって操作者に特別な触感を付与することを特徴とする請求項１に記載の入力装置。
【請求項３】
前記操作手段は、タッチパネルであり、前記触感付与手段は、前記タッチパネルにおける操作者による操作部位を振動させることによって操作者に特別な触感を付与することを特徴とする請求項１に記載の入力装置
【請求項４】
前記特定の楽曲は、演奏回数の多い楽曲であることを特徴とする請求項１乃至請求項３のいずれか１項に記載の入力装置。
【請求項５】
前記特定の楽曲を予め設定可能とされていることを特徴とする請求項１乃至請求項３のいずれか１項に記載の入力装置。
【発明の詳細な説明】
【技術分野】
【０００１】
本発明は、入力装置に係り、特に、オーディオ再生装置に搭載され、複数の楽曲の中から再生する楽曲を選択するのに好適な入力装置に関する。
【背景技術】
【０００２】
従来から、車載用オーディオ再生装置等においては、ＭＰ３等の音声ファイルで楽曲を管理し、楽曲を再生する際には、楽曲の一覧が表示されたモニタを見ながらロータリエンコーダ等の入力装置の操作手段を操作することによって、再生する楽曲を選択するようになっていた。
【０００３】
【特許文献１】特開平８−７６７７６号公報
【発明の開示】
【発明が解決しようとする課題】
【０００４】
しかしながら、管理される楽曲数が多くなればなるほど、選曲のための操作が煩雑になり、所望の楽曲をすみやかに再生することができないといった問題が生じてしまう。
【０００５】
さらに、車載機の場合には、運転中にモニタを見ながら操作手段を操作することは非常に困難であり、安全な運転の妨げともなってしまう。
【０００６】
そこで、本発明は、このような問題に鑑みなされたものであり、特定の楽曲をすみやかに再生することができ、あわせて運転の安全性を向上させることができる入力装置を提供することを目的とするものである。
【課題を解決するための手段】
【０００７】
前述した目的を達成するため、本発明に係る入力装置の特徴は、操作者によって操作される操作手段を有し、この操作手段の操作に応じて、記憶手段に記録された複数の楽曲の中から再生する楽曲を選択可能とされた入力装置であって、前記操作手段の操作によって特定の楽曲が選択された場合に、前記操作手段を介して操作者に特別な触感を付与する触感付与手段を備えた点にある。
【０００８】
そして、このような構成によれば、操作手段の操作によって特定の楽曲が選択された場合に、触感付与手段によって操作手段を介して操作者に特別な触感を付与することが可能となる。
【０００９】
また、本発明に係る入力装置の特徴は、操作手段が、操作者によって回転操作されるロータリエンコーダであり、触感付与手段は、前記ロータリーエンコーダに回転操作方向と逆方向のトルクを作用させることによって操作者に特別な触感を付与する点にある。
【００１０】
そして、このような構成によれば、特定の楽曲が選択された場合に、ロータリエンコーダに回転操作方向と逆方向のトルクを作用させることによって操作者に特別な触感を付与することが可能となる。
【００１１】
さらに、本発明に係る入力装置の特徴は、操作手段が、タッチパネルであり、触感付与手段は、前記タッチパネルにおける操作者による操作部位を振動させることによって操作者に特別な触感を付与する点にある。
【００１２】
そして、このような構成によれば、特定の楽曲が選択された場合に、タッチパネルにおける操作者による操作部位を振動させることによって操作者に特別な感触を付与することが可能となる。
【００１３】
さらにまた、本発明に係る入力装置の特徴は、特定の楽曲が、演奏回数の多い楽曲である点にある。
【００１４】
そして、このような構成によれば、演奏回数の多い楽曲が選択された場合に、操作者に特別な触感を付与することが可能となる。
【００１５】
また、本発明に係る入力装置の特徴は、特定の楽曲を予め設定可能とされている点にある。
【００１６】
そして、このような構成によれば、予め設定された楽曲が選択された場合に、操作者に特別な触感を付与することが可能となる。
【発明の効果】
【００１７】
本発明に係る入力装置によれば、操作手段の操作によって特定の楽曲が選択された場合に、触感付与手段によって操作手段を介して操作者に特別な触感を付与することができる結果、特定の楽曲をすみやかに再生することができ、あわせて運転の安全性を向上させることができる。
【００１８】
また、本発明に係る入力装置によれば、特定の楽曲が選択された場合に、ロータリエンコーダに回転操作方向と逆方向のトルクを作用させることによって操作者に特別な触感を付与することができる結果、ロータリエンコーダを用いて特定の楽曲をすみやかに再生することができ、あわせて運転の安全性を向上させることができる。
【００１９】
さらに、本発明に係る入力装置によれば、特定の楽曲が選択された場合に、タッチパネルにおける操作者による操作部位を振動させることによって操作者に特別な感触を付与することができる結果、タッチパネルを用いて特定の楽曲をすみやかに再生することができ、あわせて運転の安全性を向上させることができる。
【００２０】
さらにまた、本発明に係る入力装置によれば、演奏回数の多い楽曲が選択された場合に、操作者に特別な触感を付与することができる結果、演奏回数が多い楽曲をすみやかに再生することができる。
【００２１】
また、本発明に係る入力装置によれば、予め設定された楽曲が選択された場合に、操作者に特別な触感を付与することができる結果、予め設定された所望の楽曲をすみやかに再生することができる。
【発明を実施するための最良の形態】
【００２２】
以下、本発明に係る入力装置の実施形態について、図１および図２を参照して説明する。
【００２３】
図１に示すように、本実施形態における入力装置１は、操作手段としてのロータリエンコーダ２を有しており、このロータリエンコーダ２は、操作者によって回転操作されるようになっている。
【００２４】
ロータリエンコーダ２には、入力検出部３が接続されており、この入力検出部３は、ロータリエンコーダ２が回転操作されると、回転角度に応じた検出信号を出力するようになっている。
【００２５】
入力検出部３の出力側には、ＣＰＵ等の制御部４が接続されており、この制御部４は、楽曲の選曲や再生のための種々の制御を行うようになっている。
【００２６】
制御部４には、記憶手段としてのメモリ５が接続されており、このメモリ５には、楽曲データとして、オーディオデータに曲名等のテキストデータが付随されたＭＰ３形式の楽曲データが格納されている。
【００２７】
そして、制御部４は、メモリ５内に格納されている楽曲データのうち、入力検出部３から検出された検出信号すなわちロータリエンコーダ２の回転操作量に応じて楽曲データを選択するとともに、選択された楽曲データが決定ボタンの押下げ等によって確定されると、この確定された楽曲データを再生のために出力するようなっている。
【００２８】
制御部４の出力側には、Ｄ／Ａ７（デジタル−アナログ変換器）を介してスピーカ８が接続されており、このスピーカ８には、制御部４から出力された楽曲データにおけるオーディオデータが、Ｄ／Ａ７によるアナログ変換を経た後に入力されるようになっている。
【００２９】
そして、スピーカ８は、入力されたオーディオデータを音声出力するようになっている。
【００３０】
さらに、制御部４の出力側には、Ｄ／Ａ９を介してモニタ１０が接続されており、このモニタ１０には、制御部４の制御により、楽曲データにおけるテキストデータが、Ｄ／Ａ９によるアナログ変換を経た後に表示されるようになっている。
【００３１】
このとき、制御部４は、入力検出部３からの検出信号に基づいて、現在どの楽曲が選択されているかをモニタ１０上で識別できるようにテキストデータを表示するようになっている。
【００３２】
そして、本実施形態における入力装置１は、ロータリエンコーダ２の操作によって特定の楽曲が選択された場合に、ロータリエンコーダ２を介して操作者に特別な触感を付与する触感付与手段１１を有している。
【００３３】
触感付与手段１１は、ロータリエンコーダ２の回転軸２ａ上に、ギア１２を有しており、このギア１２は、ロータリエンコーダ２と一体的に回転するようになっている。
【００３４】
また、ギア１２には、触感付与手段１１の一部を構成するステッピングモータ１４のピニオンギア１４ａが噛合されており、このピニオンギア１４ａを介してギア１２にステッピングモータ１４の回転駆動力が伝達されるようになっている。
【００３５】
さらに、ステッピングモータ１４の入力側には、触感付与手段１１の一部を構成するドライバ１５が接続されており、このドライバ１５によってステッピングモータ１４を回転駆動するようになっている。
【００３６】
さらにまた、ドライバ１５の入力側には、前述した制御部４が接続されており、この制御部４も、触感付与手段１１の一部を構成している。
【００３７】
そして、制御部４は、入力検出部３からの検出信号に基づいて、特定の楽曲データが選択されると、ドライバ１５に対して、ロータリエンコーダ２に回転操作方向と逆方向のトルクを作用させる方向（以下、「逆トルク方向」と称する）にステッピングモータ１４を回転させる旨の制御信号を出力するようになっている。
【００３８】
これにより、ロータリエンコーダ２に回転操作方向と逆方向のトルクが作用することになり、この結果、操作者に対して、ロータリエンコーダ２を回転操作方向に回転させ難いといった特別な感触を付与することができる。
【００３９】
なお、前述した特定の楽曲は、例えば、演奏回数が多い楽曲であってもよい。その場合には、演奏回数が多い楽曲が選択された際に、操作者は、ロータリエンコーダ２の回転させ難さによってモニタ１０を見ずとも演奏回数が多い楽曲が選択されたことを認識することができる。
【００４０】
さらに、これに限らず、特定の楽曲は、操作者が予め設定したものであってもよい。
【００４１】
次に、本実施形態の作用について説明する。
【００４２】
本実施形態において、まず、操作者がロータリエンコーダ２を回転操作すると、入力検出部３がロータリエンコーダ２の回転角度に応じた検出信号を制御部４に対して出力する。
【００４３】
制御部４は、入力検出部３から出力された検出信号を入力すると、検出信号に応じた楽曲の選択を行う。
【００４４】
なお、このとき、モニタ１０には、楽曲データにおけるテキストデータが表示され、操作者によってどの楽曲が選択されているかが表示されるが、本実施形態においては、モニタ１０を見るまでもなく、特定の楽曲が選択されたことを操作者に通知することができる。
【００４５】
すなわち、制御部４は、特定の楽曲が選択されると、ドライバ１５に対してステッピングモータ１４を逆トルク方向に回転させる旨の制御信号を出力する。
【００４６】
そして、制御部４からの制御信号を受けることによって、ドライバ１５は、ステッピングモータ１４を逆トルク方向に回転駆動する。
【００４７】
これにより、ステッピングモータ１４のピニオンギア１４ａを介してロータリエンコーダ２に回転操作方向と逆方向のトルクが作用する。
【００４８】
この結果、ロータリエンコーダ２を回転操作している操作者は、ロータリエンコーダ２の回転させ難さによって、特定の楽曲が選択されていることをモニタ１０を見るまでもなく認識することができる。
【００４９】
したがって、本実施形態によれば、ロータリエンコーダ２の操作によって特定の楽曲が選択された場合に、ステッピングモータ１４の回転駆動力を介してロータリエンコーダ２に回転操作方向と逆方向のトルクを作用させることにより、操作者に対してロータリエンコーダ２を回転させ難いといった特別な触感を付与することができる。
【００５０】
この結果、モニタ１０を見るまでもなく特定の楽曲を容易に選択することができ、所望の楽曲をすみやかに再生することができる。
【００５１】
さらに、運転者がモニタ１０を注視する時間を削減することができるため、運転の安全性を向上させることができる。
【００５２】
なお、本発明は、前述した実施の形態に限定されるものではなく、必要に応じて種々の変更が可能である。
【００５３】
例えば、触感付与手段は、ステッピングモータ１４に限る必要はなく、例えば、図２に示すように、タッチパネル１７を用いて操作者に触感を付与するようにしてもよい。
【００５４】
すなわち、図２においては、モニタ１０上に表示された楽曲をタッチパネル式のスクロールバー１８で選択可能とし、かつ、特定の楽曲を選択する位置にスクロールバー１８が移動された場合に、タッチパネル１７における当該スクロールバー１８の位置に振動を付与することによって、操作者に特定の楽曲が選択されたことを通知するようになっている。
【００５５】
このような場合においても、ステッピングモータ１４の場合と同様に、モニタ１０を見るまでもなく特定の楽曲を容易に選択することができ、所望の楽曲をすみやかに再生することができる。
【００５６】
なお、タッチパネル１７に振動を付与する手段としては、本出願人によって開発されたインダッシュＡＶヘッドユニット「ＩＶＡ−Ｄ３００Ｊ」等を応用することができる。
【００５７】
また、メモリ５に記録されている楽曲データは、ＭＰ３以外の圧縮フォーマットであってもよい。
【図面の簡単な説明】
【００５８】
【図１】本発明に係る入力装置の実施形態を示すブロック図
【図２】本発明に係る入力装置の実施形態において、図１と異なる他の形態を示す説明図
【符号の説明】
【００５９】
１  入力装置
２  ロータリエンコーダ
４  制御部
５  メモリ
１１  触感付与手段
１２  ギア
１４  ステッピングモータ
１４ａ  ピニオンギア
１５  ドライバ
１７  タッチパネル
１８  スクロールバー
【図１】
2006120254.tif 000003
【図２】
2006120254.tif 000004